【手続補正書】
【提出日】平成25年10月8日(2013.10.8)
【手続補正１】
【補正対象書類名】特許請求の範囲
【補正対象項目名】全文
【補正方法】変更
【補正の内容】
【特許請求の範囲】
【請求項１】
被検体の皮膚からおよび／または該皮膚の下から抽出可能な流体の分析のためのデバイスであって、
該デバイスは、
該被検体の該皮膚に適用するための支持構造であって、該支持構造は、大気圧未満の圧力を有する内蔵式真空チャンバを備える、支持構造と、
該支持構造と関連付けられる流体輸送器と、
該流体内に含有される少なくとも１つの被分析物についての決定を示す信号を生成するための信号構造と
を備え、該支持構造および該信号構造は、容易に相互に接続可能および／または着脱可能となるように構築および配設される、デバイス。
【請求項２】
前記デバイスは、該デバイスが前記流体の抽出のために位置付けられたときに前記被検体の前記皮膚から延在する、７ｃｍ以下の最大縦寸法を有する、請求項１に記載のデバイス。
【請求項３】
前記デバイスは、該デバイスが前記流体の抽出のために位置付けられたときに前記被検体の前記皮膚から延在する、５ｃｍ以下の最大縦寸法を有する、請求項１または２のうちのいずれか一項に記載のデバイス。
【請求項４】
前記デバイスは、該デバイスが前記流体の抽出のために位置付けられたときに前記被検体の前記皮膚から延在する、３ｃｍ以下の最大縦寸法を有する、請求項１〜３のうちのいずれか一項に記載のデバイス。
【請求項５】
前記真空チャンバは、前記デバイスが前記被検体において使用される時点の前に大気圧未満の内圧を有する事前梱包真空チャンバである、請求項１〜４のうちのいずれか一項に記載のデバイス。
【請求項６】
前記デバイスは、前記流体輸送器と流体連通している貯蔵チャンバをさらに備える、請求項１〜５のうちのいずれか一項に記載のデバイス。
【請求項７】
前記支持構造は、前記流体輸送器を含有する陥凹を含有する、請求項１〜６のうちのいずれか一項に記載のデバイス。
【請求項８】
前記流体輸送器は、針を備える、請求項１〜７のうちのいずれか一項に記載のデバイス。
【請求項９】
前記針は、極微針である、請求項８に記載のデバイス。
【請求項１０】
前記流体輸送器は、中実の極微針を備える、請求項１〜９のうちのいずれか一項に記載のデバイス。
【請求項１１】
前記流体輸送器は、中空の極微針を備える、請求項１〜１０のうちのいずれか一項に記載のデバイス。
【請求項１２】
前記流体輸送器は、前記支持構造に対して固定化される、請求項１〜１１のうちのいずれか一項に記載のデバイス。
【請求項１３】
前記デバイスは、前記被検体の前記皮膚への前記流体輸送器の曝露後に、該被検体の該皮膚から該流体輸送器を引き抜くことが可能である、請求項１〜１２のうちのいずれか一項に記載のデバイス。
【請求項１４】
前記支持構造は、前記流体輸送器に向かって前記被検体の前記皮膚を引き寄せることが可能である、請求項１〜１３のうちのいずれか一項に記載のデバイス。
【請求項１５】
前記支持構造は、大気圧未満の圧力を前記被検体の前記皮膚に印加することが可能である、請求項１〜１４のうちのいずれか一項に記載のデバイス。
【請求項１６】
前記支持構造は、前記流体輸送器と流体連通している微小流体チャネルをさらに備える、請求項１〜１５のうちのいずれか一項に記載のデバイス。
【請求項１７】
前記流体は、血液を含む、請求項１〜１６のうちのいずれか一項に記載のデバイス。
【請求項１８】
前記流体は、間質液を含む、請求項１〜１７のうちのいずれか一項に記載のデバイス。
【請求項１９】
前記流体輸送器は、アクチュエータを使用して起動されることが可能である、請求項１〜１８のうちのいずれか一項に記載のデバイス。
【請求項２０】
前記アクチュエータは、ボタンを備える、請求項１９に記載のデバイス。
【請求項２１】
前記流体輸送器は、遠隔で起動されることが可能である、請求項１〜２０のうちのいずれか一項に記載のデバイス。
【請求項２２】
前記デバイスは、該デバイスを含有する包装から取り外した後の前記流体輸送器の時限起動のためのタイミング機構を備える、請求項１〜２１のうちのいずれか一項に記載のデバイス。
【請求項２３】
前記支持構造は、前記デバイスを前記被検体の前記皮膚に貼付するための機械的要素をさらに備える、請求項１〜２２のうちのいずれか一項に記載のデバイス。
【請求項２４】
前記支持構造は、前記皮膚への該支持構造の接着のための接着剤をさらに備える、請求項１〜２３のうちのいずれか一項に記載のデバイス。
【請求項２５】
前記支持構造は、前記被検体の前記皮膚に対して配置されることが可能である、請求項１〜２４のうちのいずれか一項に記載のデバイス。
【請求項２６】
前記デバイスは、該デバイスが前記皮膚に対して配置されたときに、該デバイス上に生成される力を決定することが可能である、請求項１〜２５のうちのいずれか一項に記載のデバイス。
【請求項２７】
前記デバイスは、前記被検体から体温を決定することが可能である、請求項１〜２６のうちのいずれか一項に記載のデバイス。
【請求項２８】
前記デバイスは、前記被検体の前記皮膚からおよび／または該皮膚の下から引き抜かれた前記流体内に含有される被分析物を決定することが可能である、請求項１〜２７のうちのいずれか一項に記載のデバイス。
【請求項２９】
前記デバイスは、続けて前記被検体の前記皮膚から該デバイスを取り外すことなく、前記被分析物を決定することが可能である、請求項１〜２８のうちのいずれか一項に記載のデバイス。
【請求項３０】
前記デバイスは、前記被分析物を自動的に決定することが可能である、請求項１〜２９のうちのいずれか一項に記載のデバイス。
【請求項３１】
前記デバイスは、前記被分析物の前記決定の結果を表示することが可能である、請求項１〜３０のうちのいずれか一項に記載のデバイス。
【請求項３２】
前記流体輸送器は、前記支持構造に対して移動することが可能である、請求項１〜３１のうちのいずれか一項に記載のデバイス。
【請求項３３】
前記流体輸送器は、前記被検体によって起動されることが可能である、請求項１〜３２のうちのいずれか一項に記載のデバイス。
【請求項３４】
前記流体輸送器は、前記デバイスを前記被検体の前記皮膚に適用すると起動されることが可能である、請求項１〜３３のうちのいずれか一項に記載のデバイス。
【請求項３５】
前記デバイスは、熱を前記被検体の前記皮膚に印加するための加熱器をさらに備える、請求項１〜３４のうちのいずれか一項に記載のデバイス。
【請求項３６】
前記デバイスは、前記被検体の前記皮膚を冷却するための冷却器をさらに備える、請求項１〜３５のうちのいずれか一項に記載のデバイス。
【請求項３７】
前記少なくとも１つの被分析物は、グルコースを含む、請求項１〜３６のうちのいずれか一項に記載のデバイス。
【手続補正２】
【補正対象書類名】明細書
【補正対象項目名】０００４
【補正方法】変更
【補正の内容】
【０００４】
本発明は、例えば、以下を提供する：
（項目１）
被検体の皮膚からおよび／または該皮膚の下から抽出可能な流体の分析のためのデバイスであって、
該デバイスは、
該被検体の該皮膚に適用するための支持構造と、
該支持構造と関連付けられる流体輸送器と、
該流体内に含有される少なくとも１つの被分析物についての決定を示す信号を生成するための信号構造と
を備え、該支持構造および該信号構造は、容易に相互に接続可能および／または着脱可能となるように構築および配設される、デバイス。
（項目２）
前記支持構造は、前記皮膚への該支持構造の接着のための接着剤をさらに備える、項目１に記載のデバイス。
（項目３）
前記支持構造は、前記被検体の前記皮膚に対して配置されることが可能である、項目１または２のうちのいずれか一項に記載のデバイス。
（項目４）
前記デバイスは、該デバイスが前記皮膚に対して配置されたときに、該デバイス上に生成される力を決定することが可能である、項目１〜３のうちのいずれか一項に記載のデバイス。
（項目５）
前記デバイスは、前記被検体から体温を決定することが可能である、項目１〜４のうちのいずれか一項に記載のデバイス。
（項目６）
前記流体輸送器は、アクチュエータを使用して起動されることが可能である、項目１〜５のうちのいずれか一項に記載のデバイス。
（項目７）
前記アクチュエータは、ボタンを備える、項目６に記載のデバイス。
（項目８）
前記流体輸送器は、遠隔で起動されることが可能である、項目１〜７のうちのいずれか一項に記載のデバイス。
（項目９）
前記デバイスは、該デバイスを含有する包装から取り外した後の前記流体輸送器の時限起動のためのタイミング機構を備える、項目１〜８のうちのいずれか一項に記載のデバイス。
（項目１０）
前記支持構造は、前記デバイスを前記被検体の前記皮膚に貼付するための機械的要素をさらに備える、項目１〜９のうちのいずれか一項に記載のデバイス。
（項目１１）
前記支持構造は、前記流体輸送器を含有する陥凹を含有する、項目１〜１０のうちのいずれか一項に記載のデバイス。
（項目１２）
前記支持構造は、前記流体輸送器と流体連通している微小流体チャネルをさらに備える、項目１〜１１のうちのいずれか一項に記載のデバイス。
（項目１３）
前記流体は、血液を含む、項目１〜１２のうちのいずれか一項に記載のデバイス。
（項目１４）
前記流体は、間質液を含む、項目１〜１３のうちのいずれか一項に記載のデバイス。
（項目１５）
前記デバイスは、前記流体輸送器と流体連通している貯蔵チャンバをさらに備える、項目１〜１４のうちのいずれか一項に記載のデバイス。
（項目１６）
前記デバイスは、前記被検体の前記皮膚からおよび／または該皮膚の下から引き抜かれた前記流体内に含有される被分析物を決定することが可能である、項目１〜１５のうちのいずれか一項に記載のデバイス。
（項目１７）
前記デバイスは、続けて前記被検体の前記皮膚から該デバイスを取り外すことなく、前記被分析物を決定することが可能である、項目１〜１６のうちのいずれか一項に記載のデバイス。
（項目１８）
前記デバイスは、前記被分析物を自動的に決定することが可能である、項目１〜１７のうちのいずれか一項に記載のデバイス。
（項目１９）
前記デバイスは、前記被分析物の前記決定の結果を表示することが可能である、項目１〜１８のうちのいずれか一項に記載のデバイス。
（項目２０）
前記流体輸送器は、針を備える、項目１〜１９のうちのいずれか一項に記載のデバイス。
（項目２１）
前記針は、極微針を含む、項目２０に記載のデバイス。
（項目２２）
前記流体輸送器は、中実の極微針を備える、項目１〜２１のうちのいずれか一項に記載のデバイス。
（項目２３）
前記流体輸送器は、中空の極微針を備える、項目１〜２２のうちのいずれか一項に記載のデバイス。
（項目２４）
前記流体輸送器は、前記支持構造に対して固定化される、項目１〜２３のうちのいずれか一項に記載のデバイス。
（項目２５）
前記デバイスは、前記被検体の前記皮膚への前記流体輸送器の曝露後に、該被検体の該皮膚から該流体輸送器を引き抜くことが可能である、項目１〜２４のうちのいずれか一項に記載のデバイス。
（項目２６）
前記支持構造は、前記流体輸送器に向かって前記被検体の前記皮膚を引き寄せることが可能である、項目１〜２５のうちのいずれか一項に記載のデバイス。
（項目２７）
前記支持構造は、大気圧未満の圧力を前記被検体の前記皮膚に印加することが可能である、項目１〜２６のうちのいずれか一項に記載のデバイス。
（項目２８）
前記支持構造は、大気圧未満の圧力を有する内蔵式真空チャンバを備える、項目１〜２７のうちのいずれか一項に記載のデバイス。
（項目２９）
前記流体輸送器は、前記支持構造に対して移動することが可能である、項目１〜２８のうちのいずれか一項に記載のデバイス。
（項目３０）
前記流体輸送器は、前記被検体によって起動されることが可能である、項目１〜２９のうちのいずれか一項に記載のデバイス。
（項目３１）
前記流体輸送器は、前記デバイスを前記被検体の前記皮膚に適用すると起動されることが可能である、項目１〜３０のうちのいずれか一項に記載のデバイス。
（項目３２）
前記デバイスは、熱を前記被検体の前記皮膚に印加するための加熱器をさらに備える、項目１〜３１のうちのいずれか一項に記載のデバイス。
（項目３３）
前記デバイスは、前記被検体の前記皮膚を冷却するための冷却器をさらに備える、項目１〜３２のうちのいずれか一項に記載のデバイス。
（項目３４）
前記少なくとも１つの被分析物は、グルコースを含む、項目１〜３３のうちのいずれか一項に記載のデバイス。
（項目３５）
被検体の皮膚および／または該皮膚の下に流体を送達する、および／またはそこから流体を引き抜くためのデバイスであって、
該デバイスは、
該被検体の該皮膚に適用するための支持構造と、
該支持構造と関連付けられる流体輸送器と、
該被検体の該皮膚および／または該皮膚の下に送達された、および／またはそこから引き抜かれた該流体を示す信号を生成するための信号構造と
を備え、該支持構造および該信号構造は、相互に接続可能および／または着脱可能となるように構築および配設される、デバイス。
（項目３６）
前記デバイスは、約１ｋｇ未満の重量を有する、項目３５に記載のデバイス。
（項目３７）
前記デバイスは、約３００ｇ未満の重量を有する、項目３５または３６に記載のデバイス。
（項目３８）
前記デバイスは、約２５ｃｍ未満の最大の長さ寸法を有する、項目３５〜３７のうちのいずれか一項に記載のデバイス。
（項目３９）
前記デバイスは、約１０ｃｍ未満の最大の長さ寸法を有する、項目３５〜３８のうちのいずれか一項に記載のデバイス。
（項目４０）
前記デバイスは、約５ｃｍ未満の最大の長さ寸法を有する、項目３５〜３９のうちのいずれか一項に記載のデバイス。
（項目４１）
前記デバイスは、被検体の腕に貼付されるように構築および配設される、項目３５〜４０のうちのいずれか一項に記載のデバイス。
（項目４２）
前記デバイスは、被検体の脚に貼付されるように構築および配設される、項目３５〜４１のうちのいずれか一項に記載のデバイス。
（項目４３）
前記デバイスは、前記被検体に貼付されるように構築および配設されることにより、該デバイスが被検体に貼付された後に、該被検体は歩くことができる、項目３５〜４２のうちのいずれか一項に記載のデバイス。
（項目４４）
前記支持構造は、１回使用の使い捨てモジュールの少なくとも一部分を画定し、前記信号構造は、少なくとも該支持構造への繰り返しの接続および断絶のために構築および配設されるモジュールの少なくとも一部分を画定する、項目３５〜４３のうちのいずれか一項に記載のデバイス。
（項目４５）
被検体の皮膚および／または該皮膚の下に流体を送達する、および／またはそこから流体を引き抜くためのデバイスであって、
該デバイスは、
該被検体の該皮膚に適用するための支持構造と、
該支持構造と関連付けられる流体輸送器と、
該被検体の該皮膚および／または該皮膚の下に送達された、および／またはそこから引き抜かれた該流体を示す信号を生成するための信号構造と、
を備え、該デバイスは、該被検体の該皮膚および／または該皮膚の下に該流体を送達する、および／またはそこから該流体を引き抜くために、該被検体の該皮膚に繰り返し適用可能である、デバイス。
（項目４６）
被検体の皮膚にデバイスを適用することであって、該デバイスは、該被検体の該皮膚および／または該皮膚の下に流体を送達する、および／またはそこから流体を引き抜くことが可能であり、該デバイスは、（１）該被検体の該皮膚に適用するための支持構造と、（２）該支持構造と関連付けられる流体輸送器と、（３）該被検体の該皮膚および／または該皮膚の下に送達された、および／またはそこから引き抜かれた該流体を示す信号を生成するための信号構造とを備える、ことと、
該デバイスを使用して、該被検体の該皮膚および／または該皮膚の下に該流体を送達する、および／またはそこから該流体を引き抜くことと、
該被検体の該皮膚から該支持構造および該信号構造のうちの１つのみを取り外すことと
を含む、方法。
（項目４７）
前記取り外された構造を分析のために二次的な場所に輸送することをさらに含む、項目４６に記載の方法。
（項目４８）
前記取り外された構造は、前記支持構造である、項目４６または４７のうちのいずれか一項に記載の方法。
（項目４９）
前記支持構造は、前記デバイスを使用して前記被検体の前記皮膚および／または該皮膚の下から引き抜かれた流体を含有する、項目４６〜４８のうちのいずれか一項に記載の方法。
（項目５０）
被検体の皮膚および／または該皮膚の下から流体を引き抜くためのデバイスであって、
該デバイスは、
該被検体の該皮膚に適用するための支持構造と、
該支持構造と関連付けられる流体輸送器と、
該流体輸送器と流体連通している該皮膚から引き抜かれた該流体を安定させるための安定剤と
を備える、デバイス。
（項目５１）
被検体の皮膚および／または該皮膚の下から流体を引き抜くためのデバイスであって、
該デバイスは、
該被検体の該皮膚に適用するための支持構造と、
該支持構造と関連付けられる流体輸送器と、
該流体輸送器と流体連通している該皮膚から引き抜かれた該流体を安定させるための抗凝固剤と
を備える、デバイス。
（項目５２）
前記抗凝固剤は、ヘパリンを含む、項目５１に記載のデバイス。
（項目５３）
被検体の皮膚にデバイスを適用することであって、該デバイスは、該被検体の該皮膚および／または該皮膚の下から流体を引き抜くことが可能であり、該デバイスは、（１）該被検体の該皮膚に適用するための支持構造と、（２）該支持構造と関連付けられる流体輸送器とを備える、ことと、
該流体輸送器を使用して該被検体の該皮膚および／または該皮膚の下から該流体を引き抜くことと、
該引き抜かれた流体を含有する該デバイスの少なくとも一部分を分析のために二次的な場所に輸送することと
を含む、方法。
（項目５４）
郵便で輸送することを含む、項目５３に記載の方法。
（項目５５）
前記デバイスのうちの一部分のみを輸送することを含む、項目５３または５４のうちのいずれか一項に記載のデバイス。
（項目５６）
前記デバイス全体を輸送することを含む、項目５３〜５５のうちのいずれか一項に記載の方法。
（項目５７）
被検体の皮膚からおよび／または該皮膚の下から抽出可能な流体の分析するためのデバイスであって、
該デバイスは、
該被検体の該皮膚に適用するための支持構造と、
該被検体の該皮膚から、および／または該皮膚の下から流体を抽出するための手段と、
該流体内に含有される少なくとも１つの被分析物の決定を示す信号を生成するための信号構造と
を備え、該支持構造および該信号構造は、容易に相互に接続可能および／または着脱可能となるように構築および配設される、デバイス。
（項目５８）
被検体の皮膚および／または該皮膚の下に流体を送達する、および／またはそこから流体を引き抜くためのデバイスであって、
該デバイスは、
該被検体の該皮膚に適用するための支持構造と、
該被検体の該皮膚および／または該皮膚の下への流体の送達、および／またはそこからの流体の引き抜きのための輸送手段と、
該被検体の該皮膚および／または該皮膚の下に送達された、および／またはそこから引き抜かれた該流体を示す信号を生成するための信号構造と
を備え、該支持構造および該信号構造は、相互に接続可能および／または着脱可能となるように構築および配設される、デバイス。
（項目５９）
被検体の皮膚および／または該皮膚の下に流体を送達する、および／またはそこから流体を引き抜くためのデバイスであって、
該デバイスは、
該被検体の該皮膚に適用するための支持構造と、
該被検体の該皮膚および／または該皮膚の下への流体の送達、および／またはそこからの流体の引き抜きのための輸送手段と、
該被検体の該皮膚および／または該皮膚の下に送達された、および／またはそこから引き抜かれた該流体を示す信号を生成するための信号構造と
を備え、該デバイスは、該被検体の該皮膚および／または該皮膚の下に該流体を送達する、および／またはそこから該流体を引き抜くために、該被検体の該皮膚に繰り返し適用可能である、デバイス。
（項目６０）
被検体の皮膚にデバイスを適用することであって、該デバイスは、該被検体の該皮膚および／または該皮膚の下に流体を送達する、および／またはそこから流体を引き抜くことが可能であり、該デバイスは、（１）該被検体の該皮膚に適用するための支持構造と、（２）該被検体の該皮膚および／または該皮膚の下への該流体の送達、および／またはそこからの該流体の引き抜きのための輸送手段と、（３）該被検体の該皮膚および／または該皮膚の下に送達された、および／またはそこから引き抜かれた該流体を示す信号を生成するための信号構造とを備える、ことと、
該デバイスを使用して該被検体の該皮膚および／または該皮膚の下に該流体を送達する、および／またはそこから該流体を引き抜くことと、
該被検体の該皮膚から該支持構造および該信号構造のうちの１つのみを取り外すことと
を含む、方法。
（項目６１）
被検体の皮膚からおよび／または該皮膚の下から流体を引き抜くためのデバイスであって、
該デバイスは、
該被検体の該皮膚に適用するための支持構造と、
該支持構造と関連付けられる輸送手段と、
該輸送手段と流体連通している該皮膚から引き抜かれた該流体を安定させるための安定剤と
を備える、デバイス。
（項目６２）
被検体の皮膚からおよび／または該皮膚の下から流体を引き抜くためのデバイスであって、
該デバイスは、
該被検体の該皮膚に適用するための支持構造と、
該支持構造と関連付けられる輸送手段と、
該輸送手段と流体連通している該皮膚から引き抜かれた該流体を安定させるための抗凝固剤と
を備える、デバイス。
（項目６３）
被検体の皮膚にデバイスを適用することであって、該デバイスは、該被検体の該皮膚から、および／または該皮膚の下から流体を引き抜くことが可能であり、該デバイスは、（１）該被検体の該皮膚に適用するための支持構造と、（２）該被検体の該皮膚から、および／または該皮膚の下から流体を引き抜くための輸送手段とを備える、ことと、
該輸送手段を使用して該被検体の該皮膚および／または該皮膚の下から該流体を引き抜くことと、
該引き抜かれた流体を含有する該デバイスの少なくとも一部分を分析のために二次的な場所に輸送することと
を含む、方法。
（項目６４）
被検体の皮膚から、および／または皮膚の下から流体を抽出するためのデバイスであって、
該デバイスは、
該被検体の該皮膚に適用するための支持構造と、
該支持構造と関連付けられる流体輸送器と
を備え、該デバイスは、
該デバイスが該流体の抽出のために位置付けられたとき、抽出領域と平行である、約５ｃｍ以下の最大横寸法、
該デバイスが該流体の抽出のために位置付けられたとき、該被検体の該皮膚から延在する、約１ｃｍ以下の最大縦寸法、または
該流体がないとき、約２５ｇ以下の質量
のうちの少なくとも１つを備える、デバイス。
（項目６５）
前記支持構造は、前記皮膚への該支持構造の接着のための接着剤をさらに備える、項目６４に記載のデバイス。
（項目６６）
前記支持構造は、前記被検体の前記皮膚に対して配置されることが可能である、項目６４または６５のうちのいずれか一項に記載のデバイス。
（項目６７）
前記デバイスは、該デバイスが前記皮膚に対して配置されたときに、該デバイス上に生成される力を決定することが可能である、項目６４〜６６のうちのいずれか一項に記載のデバイス。
（項目６８）
前記デバイスは、前記被検体から体温を決定することが可能である、項目６４〜６７のうちのいずれか一項に記載のデバイス。
（項目６９）
前記流体輸送器は、アクチュエータを使用して起動されることが可能である、項目６４〜６８のうちのいずれか一項に記載のデバイス。
（項目７０）
前記アクチュエータは、ボタンを備える、項目６９に記載のデバイス。
（項目７１）
前記流体輸送器は、遠隔で起動されることが可能である、項目６４〜７０のうちのいずれか一項に記載のデバイス。
（項目７２）
前記デバイスは、該デバイスを含有する包装から前記流体輸送器を取り外した後の時限起動のためのタイミング機構を備える、項目６４〜７１のうちのいずれか一項に記載のデバイス。
（項目７３）
前記支持構造は、前記デバイスを前記被検体の前記皮膚に貼付するための機械的要素をさらに備える、項目６４〜７２のうちのいずれか一項に記載のデバイス。
（項目７４）
前記支持構造は、前記流体輸送器を含有する陥凹を含有する、項目６４〜７３のうちのいずれか一項に記載のデバイス。
（項目７５）
前記支持構造は、前記流体輸送器と流体連通している微小流体チャネルをさらに備える、項目６４〜７４のうちのいずれか一項に記載のデバイス。
（項目７６）
前記デバイスは、前記被検体の前記皮膚から、および／または該皮膚の下から前記流体輸送器を介して前記流体を引き抜くことが可能である、項目６４〜７５のうちのいずれか一項に記載のデバイス。
（項目７７）
前記媒体は、血液を含む、項目６４〜７６のうちのいずれか一項に記載のデバイス。
（項目７８）
前記媒体は、間質液を含む、項目６４〜７７のうちのいずれか一項に記載のデバイス。
（項目７９）
前記デバイスは、前記流体輸送器と流体連通している貯蔵チャンバをさらに備える、項目６４〜７８のうちのいずれか一項に記載のデバイス。
（項目８０）
前記デバイスは、前記被検体の前記皮膚から、および／または該皮膚の下から引き抜かれた前記流体内に含有される被分析物を決定することが可能である、項目６４〜７９のうちのいずれか一項に記載のデバイス。
（項目８１）
前記デバイスは、続けて前記被検体の前記皮膚から該デバイスを取り外すことなく、前記被分析物を決定することが可能である、項目８０に記載のデバイス。
（項目８２）
前記デバイスは、自動的に前記被分析物を決定することが可能である、項目８０または８１のうちのいずれか一項に記載のデバイス。
（項目８３）
前記デバイスは、前記被分析物の前記決定の結果を表示することが可能である、項目８０〜８２のうちのいずれか一項に記載のデバイス。
（項目８４）
前記被分析物は、グルコースを含む、項目８０〜８３のうちのいずれか一項に記載のデバイス。
（項目８５）
前記流体輸送器は、針を備える、項目６４〜８４のうちのいずれか一項に記載のデバイス。
（項目８６）
前記針は、極微針を含む、項目６４〜８５のうちのいずれか一項に記載のデバイス。
（項目８７）
前記流体輸送器は、中実の極微針を備える、項目６４〜８６のうちのいずれか一項に記載のデバイス。
（項目８８）
前記流体輸送器は、中空の極微針を備える、項目６４〜８７のうちのいずれか一項に記載のデバイス。
（項目８９）
前記流体輸送器は、前記支持構造に対して固定化される、項目６４〜８８のうちのいずれか一項に記載のデバイス。
（項目９０）
前記デバイスは、前記被検体の前記皮膚への前記流体輸送器の曝露後に、該被検体の該皮膚から該流体輸送器を引き抜くことが可能である、項目６４〜８９のうちのいずれか一項に記載のデバイス。
（項目９１）
前記支持構造は、前記流体輸送器に向かって前記被検体の前記皮膚を引き寄せることが可能である、項目６４〜９０のうちのいずれか一項に記載のデバイス。
（項目９２）
前記支持構造は、大気圧未満の圧力を前記被検体の前記皮膚に印加することが可能である、項目６４〜９１のうちのいずれか一項に記載のデバイス。
（項目９３）
前記支持構造は、大気圧未満の圧力を有する内蔵式真空チャンバを備える、項目６４〜９２のうちのいずれか一項に記載のデバイス。
（項目９４）
前記流体輸送器は、前記支持構造に対して移動することが可能である、項目６４〜９３のうちのいずれか一項に記載のデバイス。
（項目９５）
前記流体輸送器は、前記被検体によって起動されることが可能である、項目６４〜９４のうちのいずれか一項に記載のデバイス。
（項目９６）
前記流体輸送器は、前記デバイスを前記被検体の前記皮膚に適用すると起動されることが可能である、項目６４〜９５のうちのいずれか一項に記載のデバイス。
（項目９７）
前記デバイスは、熱を前記被検体の前記皮膚に印加するための加熱器をさらに備える、項目６４〜９６のうちのいずれか一項に記載のデバイス。
（項目９８）
前記デバイスは、前記被検体の前記皮膚を冷却するための冷却器をさらに備える、項目６４〜９７のうちのいずれか一項に記載のデバイス。
（項目９９）
前記最大横寸法は、約２．５ｃｍ乃至約５ｃｍである、項目６４〜９８のうちのいずれか一項に記載のデバイス。
（項目１００）
前記最大縦寸法は、約０．５ｃｍ乃至約１ｃｍである、項目６４〜９９のうちのいずれか一項に記載のデバイス。
（項目１０１）
前記質量は、約２ｇ乃至約２５ｇである、項目６４〜１００のうちのいずれか一項に記載のデバイス。
（項目１０２）
被検体の皮膚からおよび／または該皮膚の下から流体を抽出するためのデバイスであって、
該デバイスは、
該被検体の該皮膚に適用するための支持構造と、
該支持構造と関連付けられる流体輸送器と、
該被検体の該皮膚から、および該皮膚の下から抽出される流体の少なくとも１つの状態を決定するためのセンサと、
該センサによって決定される該流体の該少なくとも１つの状態に関する信号および／または表示を生成するための信号および／または表示発生器と
を備え、該デバイスは、
該デバイスが該流体の抽出のために位置付けられたとき、抽出領域と平行である、約７ｃｍ以下の最大横寸法、
該デバイスが該流体の抽出のために位置付けられたとき、該被検体の該皮膚から延在する、約３ｃｍ以下の最大縦寸法、または
該流体がないとき、約１５０ｇ以下の質量
のうちの少なくとも１つを備える、デバイス。
（項目１０３）
前記支持構造は、前記皮膚への該支持構造の接着のための接着剤をさらに備える、項目１０２に記載のデバイス。
（項目１０４）
前記最大横寸法は、約２ｃｍ乃至約７ｃｍである、項目１０２または１０３のうちのいずれか一項に記載のデバイス。
（項目１０５）
前記最大縦寸法は、約２ｃｍ乃至約３ｃｍである、項目１０２〜１０４のうちのいずれか一項に記載のデバイス。
（項目１０６）
前記質量は、約３０ｇ乃至約１５０ｇである、項目１０２〜１０５のうちのいずれか一項に記載のデバイス。
（項目１０７）
前記センサは、グルコースセンサである、項目１０２〜１０６のうちのいずれか一項に記載のデバイス。
（項目１０８）
前記センサは、試験片である、項目１０２〜１０７のうちのいずれか一項に記載のデバイス。
（項目１０９）
被検体の皮膚および／または該皮膚の下から流体を抽出するためのデバイスであって、
該デバイスは、
該被検体の該皮膚に適用するための支持構造と、
該支持構造と関連付けられる流体輸送器と、
を備え、該デバイスは、少なくとも１５分の期間の間、該被検体によって装着可能となるように構築および配設される、デバイス。
（項目１１０）
前記支持構造は、前記皮膚への該支持構造の接着のための接着剤をさらに備える、項目１０９に記載のデバイス。
（項目１１１）
被検体の皮膚および／または該皮膚の下に流体を送達する、および／またはそこから流体を引き抜くための内蔵式デバイスであって、
該デバイスは、
該被検体の該皮膚に適用するための支持構造と、
該被検体の該皮膚および／または該皮膚の下への流体の送達、および／またはそこからの流体の引き抜きのための流体輸送器と、
を備え、該内蔵式デバイスは、該被検体の該皮膚に貼付される場合、
（１）該デバイスが該流体の抽出のために位置付けられたとき、抽出領域と平行である、約５ｃｍ以下の最大横寸法、
（２）該デバイスが該被検体に適用されたとき、該被検体の該皮膚から延在する、約１ｃｍ以下の最大縦寸法、または
（３）該流体がないとき、約２５ｇ以下の質量
のうちの少なくとも１つを備える、デバイス。
（項目１１２）
前記最大横寸法は、約２．５ｃｍ乃至約５ｃｍである、項目１１１に記載のデバイス。
（項目１１３）
前記最大縦寸法は、約０．５ｃｍ乃至約１ｃｍである、項目１１１または１１２のうちのいずれか一項に記載のデバイス。
（項目１１４）
前記質量は、約２ｇ乃至約２５ｇである、項目１１１〜１１３のうちのいずれか一項に記載のデバイス。
（項目１１５）
被検体の皮膚および／または該皮膚の下に流体を送達する、および／またはそこから流体を引き抜くための内蔵式デバイスであって、
該デバイスは、
該被検体の該皮膚に適用するための支持構造と、
該被検体の該皮膚および／または該皮膚の下への流体の送達、および／またはそこからの流体の引き抜きのための流体輸送器と、
該被検体の該皮膚および／または該皮膚の下に送達された、および／またはそこから引き抜かれた該流体を示す信号を生成するための信号構造と
を備え、該内蔵式デバイスは、該被検体の該皮膚に貼付される場合、
（１）該デバイスが該流体の抽出のために位置付けられたとき、抽出領域と平行である、約７ｃｍ以下の最大横寸法、
（２）該デバイスが該被検体に適用されたとき、該被検体の該皮膚から延在する、約３ｃｍ以下の最大縦寸法、または
（３）該流体がないとき、約１５０ｇ以下の質量
のうちの少なくとも１つを備える、デバイス。
（項目１１６）
前記デバイスは、前記流体輸送器を介して前記被検体の前記皮膚から抽出された流体の少なくとも１つの状態を決定するためのセンサをさらに備える、項目１１５に記載のデバイス。
（項目１１７）
前記センサによって決定される前記流体の前記少なくとも１つの状態に関する信号を生成するための信号発生器を備える、項目１１６に記載のデバイス。
（項目１１８）
前記信号発生器は、ディスプレイを備える、項目１１７に記載のデバイス。
（項目１１９）
前記センサは、グルコースセンサである、項目１１６〜１１８のうちのいずれか一項に記載のデバイス。
（項目１２０）
前記センサは、試験片である、項目１１６〜１１９のうちのいずれか一項に記載のデバイス。
（項目１２１）
起動部をさらに備え、該起動部は、該起動部の起動時に、前記被検体の前記皮膚への前記流体輸送器の曝露を引き起こすように構築および配設される、項目１１５〜１２０のうちのいずれか一項に記載のデバイス。
（項目１２２）
前記被検体の前記皮膚および／または該皮膚の下に送達された、および／またはそこから引き抜かれた前記流体を示す信号を生成するための信号構造をさらに備える、項目１１５〜１２１のうちのいずれか一項に記載のデバイス。
（項目１２３）
前記最大横寸法は、約２ｃｍ乃至約７ｃｍである、項目１１５〜１２２のうちのいずれか一項に記載のデバイス。
（項目１２４）
前記最大縦寸法は、約２ｃｍ乃至約３ｃｍである、項目１１５〜１２３のうちのいずれか一項に記載のデバイス。
（項目１２５）
前記質量は、約３０ｇ乃至約１５０ｇである、項目１１５〜１２４のうちのいずれか一項に記載のデバイス。
（項目１２６）
被検体の皮膚および／または皮膚の下に流体を送達する、および／またはそこから流体を引き抜くための内蔵式デバイスであって、
該デバイスは、
該被検体の該皮膚に適用するための支持構造と、
該被検体の該皮膚および／または該皮膚の下への該流体の送達、および／またはそこからの該流体の引き抜きのための流体輸送器と
を備え、該デバイスは、少なくとも約１５分の間、該被検体によって装着可能となるように構築および配設される、デバイス。
（項目１２７）
起動部をさらに備え、該起動部は、該起動部の起動時に、前記被検体の前記皮膚への前記流体輸送器の曝露を引き起こすように構築および配設される、項目１２６に記載のデバイス。
（項目１２８）
前記被検体の前記皮膚および／または該皮膚の下に送達された、および／またはそこから引き抜かれた前記流体を示す信号を生成するための信号構造をさらに備える、項目１２６または１２７のうちのいずれか一項に記載のデバイス。
（項目１２９）
前記デバイスは、少なくとも約１時間の間、前記被検体によって装着可能となるように構築および配設される、項目１２６〜１２８のうちのいずれか一項に記載のデバイス。
（項目１３０）
前記デバイスは、少なくとも約１日の間、前記被検体によって装着可能となるように構築および配設される、項目１２６〜１２９のうちのいずれか一項に記載のデバイス。
（項目１３１）
前記デバイスは、少なくとも約１週間の間、前記被検体によって装着可能となるように構築および配設される、項目１２６〜１３０のうちのいずれか一項に記載のデバイス。
（項目１３２）
内蔵式デバイスを前記被検体の前記皮膚に適用することであって、該内蔵式デバイスは、該被検体の該皮膚および／または該皮膚の下に流体を送達すること、および／またはそこから流体を引き抜くことが可能であり、該内蔵式デバイスは、該被検体の該皮膚に貼付される場合、
（１）該デバイスが該流体の抽出のために位置付けられたとき、抽出領域と平行である、約５ｃｍ以下の最大横寸法、
（２）該デバイスが該被検体に適用されたとき、該被検体の該皮膚から延在する、約１ｃｍ以下の最大縦寸法、または
（３）該流体がないとき、約２５ｇ以下の質量
のうちの少なくとも１つを備える、ことと、
該デバイスを起動することと
を含む、方法。
（項目１３３）
被検体の皮膚に内蔵式デバイスを適用することであって、該デバイスは、（１）該被検体の該皮膚に適用するための支持構造と、（２）該支持構造と関連付けられる流体輸送器と、（３）該被検体の該皮膚および／または該皮膚の下に送達された、および／またはそこから引き抜かれた流体を示す信号を生成するための信号構造とを備え、該内蔵式デバイスは、該被検体の該皮膚に貼付される場合、
（１）該デバイスが該流体の抽出のために位置付けられたとき、抽出領域と平行である、約５ｃｍ以下の最大横寸法、
（２）該デバイスが該被検体に適用されたとき、該被検体の該皮膚から延在する、約１ｃｍ以下の最大縦寸法、または
（３）該流体がないとき、約２５ｇ以下の質量
のうちの少なくとも１つを備える、ことと、
該デバイスを起動することと
を含む、方法。
（項目１３４）
内蔵式デバイスを前記被検体の前記皮膚に適用することであって、該内蔵式デバイスは、該被検体の皮膚および／または該皮膚の下に流体を送達する、および／またはそこから流体を引き抜くことが可能である、ことと、
該被検体が少なくとも約１５分の間、該デバイスを装着することを可能にすることと、
該被検体の該皮膚および／または該皮膚の下に流体を送達する、および／またはそこから流体を引き抜くことと
を含む、方法。
（項目１３５）
被検体の皮膚および／または該皮膚の下に流体を送達する、および／またはそこから流体を引き抜くためのデバイスであって、
該デバイスは、
該被検体の該皮膚に適用するための支持構造と、
該支持構造と関連付けられる流体輸送器と、
該被検体の該皮膚および／または該皮膚の下に送達された、および／またはそこから引き抜かれた該流体の状態を決定するためのセンサと、
を備え、該デバイスは、少なくとも約１５分の間、該被検体によって装着可能となるように構築および配設される、デバイス。
（項目１３６）
前記センサは、グルコースセンサである、項目１３５に記載のデバイス。
（項目１３７）
前記センサは、試験片である、項目１３５または１３６のうちのいずれか一項に記載のデバイス。
（項目１３８）
被検体の皮膚からおよび／または該皮膚の下から間質液を引き抜くためのデバイスであって、
該デバイスは、
該被検体の該皮膚に適用するための支持構造と、
該支持構造と関連付けられる流体輸送器と、
を備え、該デバイスは、少なくとも約１５分の間、該被検体によって装着可能となるように構築および配設される、デバイス。
（項目１３９）
被検体の皮膚および／または該皮膚の下に流体を送達する、および／またはそこから流体を引き抜くためのデバイスであって、
該デバイスは、
該被検体の該皮膚に適用するための支持構造と、
該支持構造と関連付けられる流体輸送器と、
を備え、該デバイスは、少なくとも約１５分の間、該被検体によって装着可能となるように構築および配設される、デバイス。
（項目１４０）
内蔵式デバイスを被検体の皮膚に適用することであって、該内蔵式デバイスは、該被検体の該皮膚から、および／または該皮膚の下から流体を引き抜くことが可能である、ことと、
該被検体が少なくとも約１５分の間、該デバイスを装着することを可能にすることと、
該デバイスを使用して該被検体の該皮膚から、および／または該皮膚の下から該流体を引き抜くことと、
該被検体の該皮膚から引き抜かれた該流体内に含有されている疑いがある被分析物を決定することと
を含む、方法。
（項目１４１）
前記被分析物は、グルコースを含む、項目１４０に記載の方法。
（項目１４２）
被検体の皮膚から流体を引き抜くことが可能である内蔵式デバイスを該被検体の該皮膚に適用することと、
該被検体が少なくとも約１５分の間、該デバイスを装着することを可能にすることと、
該デバイスを使用して該被検体の該皮膚の中の１つ以上の毛細血管から該流体を直接引き抜くことと
を含む、方法。
（項目１４３）
被検体の皮膚からおよび／または該皮膚の下から流体を抽出するためのデバイスであって、
該デバイスは、
該被検体の該皮膚に適用するための支持構造と、
該支持構造と関連付けられる流体輸送器と
を備え、該デバイスは、
該デバイスが該流体の抽出のために位置付けられるとき、抽出領域と平行である、約６ｃｍ以下の最大横寸法、
該デバイスが該流体の抽出のために位置付けられるとき、該被検体の該皮膚から延在する、約１．５ｃｍ以下の最大縦寸法、または
該流体がないとき、約２５ｇ以下の質量
のうちの少なくとも１つを備える、デバイス。
（項目１４４）
被検体の皮膚および／または該皮膚の下に流体を送達する、および／またはそこから流体を引き抜くための内蔵式デバイスであって、
該デバイスは、
該被検体の該皮膚に適用するための支持構造と、
該支持構造と関連付けられる流体輸送器と
を備え、該内蔵式デバイスは、該被検体の該皮膚に貼付される場合、
（１）該デバイスが該流体の抽出のために位置付けられたとき、抽出領域と平行である、約６ｃｍ以下の最大横寸法、
（２）該デバイスが該被検体に適用されたとき、該被検体の該皮膚から延在する、約１．５ｃｍ以下の最大縦寸法、または
（３）該流体がないとき、約２５ｇ以下の質量
のうちの少なくとも１つを備える、デバイス。
（項目１４５）
内蔵式デバイスを被検体の皮膚に適用することであって、該内蔵式デバイスは、該被検体の該皮膚および／または該皮膚の下に流体を送達する、および／またはそこから流体を引き抜くことが可能であり、該内蔵式デバイスは、該被検体の該皮膚に貼付される場合、
（１）該デバイスが該流体の抽出のために位置付けられたとき、抽出領域と平行である、約６ｃｍ以下の最大横寸法、
（２）該デバイスが該被検体に適用されたとき、該被検体の該皮膚から延在する、約１．５ｃｍ以下の最大縦寸法、または
（３）該流体がないとき、約２５ｇ以下の質量
のうちの少なくとも１つを備える、ことと、
該デバイスを起動することと
を含む、方法。
（項目１４６）
被検体の皮膚からおよび／または該皮膚の下から流体を抽出するためのデバイスであって、
該デバイスは、
該被検体の該皮膚に適用するための支持構造と、
該支持構造と関連付けられる流体輸送器と、
該被検体の該皮膚への該支持構造の接着のための接着剤と
を備える、デバイス。
（項目１４７）
約１時間以下の間、前記被検体の前記皮膚に前記デバイスを適用することを含む、項目１４６に記載の方法。
（項目１４８）
約３０分以下の間、前記被検体の前記皮膚に前記デバイスを適用することを含む、項目１４６に記載の方法。
（項目１４９）
約１５分以下の間、前記被検体の前記皮膚に前記デバイスを適用することを含む、項目１４６に記載の方法。
（項目１５０）
約１０分以下の間、前記被検体の前記皮膚に前記デバイスを適用することを含む、項目１４６に記載の方法。
（項目１５１）
約５分以下の間、前記被検体の前記皮膚に前記デバイスを適用することを含む、項目１４６に記載の方法。
（項目１５２）
被検体の皮膚からおよび／または該皮膚の下から流体を抽出するためのデバイスであって、
該デバイスは、
該被検体の該皮膚に適用するための支持構造と、
抽出領域における該被検体の該皮膚から、および／または該皮膚の下から流体を抽出するための手段と
を備え、該デバイスは、
該デバイスが該流体の抽出のために位置付けられたとき、抽出領域と平行である、約５ｃｍ以下の最大横寸法、
該デバイスが該流体の抽出のために位置付けられたとき、該被検体の該皮膚から延在する、約１ｃｍ以下の最大縦寸法、または
該流体がないとき、約２５ｇ以下の質量
のうちの少なくとも１つを備える、デバイス。
（項目１５３）
被検体の皮膚からおよび／または該皮膚の下から流体を抽出するためのデバイスであって、
該デバイスは、
該被検体の該皮膚に適用するための支持構造と、
抽出領域における該被検体の該皮膚から、および／または該皮膚の下から流体を抽出するための手段と、
該被検体の該皮膚から抽出された流体の少なくとも１つの状態を決定するためのセンサと、
該センサによって決定される該流体の該少なくとも１つの状態に関する信号および／または表示を生成するための信号および／または表示発生器と
を備え、該デバイスは、
該デバイスが該流体の抽出のために位置付けられたとき、抽出領域と平行である、約７ｃｍ以下の最大横寸法、
該デバイスが該被検体に適用されたとき、該被検体の該皮膚から延在する、約３ｃｍ以下の最大縦寸法、または
該流体がないとき、約１５０ｇ以下の質量
のうちの少なくとも１つを備える、デバイス。
（項目１５４）
被検体の皮膚からおよび／または該皮膚の下から流体を抽出するためのデバイスであって、
該デバイスは、
該被検体の該皮膚に適用するための支持構造と、
抽出領域における該被検体の該皮膚から、および／または該皮膚の下から流体を抽出するための手段と
を備え、該デバイスは、少なくとも１５分の期間の間、該被検体によって装着可能となるように構築および配設される、デバイス。
（項目１５５）
被検体の皮膚および／または該皮膚の下に流体を送達する、および／またはそこから流体を引き抜くための内蔵式デバイスであって、
該デバイスは、
該被検体の該皮膚に適用するための支持構造と、
該被検体の該皮膚および／または該皮膚の下への流体の送達、および／またはそこからの流体の引き抜きのための輸送手段と
を備え、該内蔵式デバイスは、該被検体の該皮膚に貼付される場合、
（１）該デバイスが該流体の抽出のために位置付けられたとき、抽出領域と平行である、約５ｃｍ以下の最大横寸法、
（２）該デバイスが該被検体に適用されたとき、該被検体の該皮膚から延在する、約１ｃｍ以下の最大縦寸法、または
（３）該流体がないとき、約２５ｇ以下の質量
のうちの少なくとも１つを備える、デバイス。
（項目１５６）
被検体の皮膚および／または該皮膚の下に流体を送達する、および／またはそこから流体を引き抜くための内蔵式デバイスであって、
該デバイスは、
該被検体の該皮膚に適用するための支持構造と、
該被検体の該皮膚および／または該皮膚の下への流体の送達、および／またはそこからの流体の引き抜きのための輸送手段と、
該被検体の該皮膚および／または該皮膚の下に送達された、および／またはそこから引き抜かれた該流体を示す信号を生成するための信号構造と
を備え、該内蔵式デバイスは、該被検体の該皮膚に貼付される場合、
（１）該デバイスが該流体の抽出のために位置付けられたとき、抽出領域と平行である、約７ｃｍ以下の最大横寸法、
（２）該デバイスが該被検体に適用されたとき、該被検体の該皮膚から延在する、約３ｃｍ以下の最大縦寸法、または
（３）流体がないとき、約１５０ｇ以下の質量
のうちの少なくとも１つを備える、デバイス。
（項目１５７）
被検体の皮膚および／または該皮膚の下に流体を送達する、および／またはそこから流体を引き抜くための内蔵式デバイスであって、
該デバイスは、
該被検体の該皮膚に適用するための支持構造と、
該被検体の該皮膚および／または該皮膚の下への流体の送達、および／またはそこからの流体の引き抜きのための輸送手段と
を備え、該デバイスは、少なくとも約１５分の間、該被検体によって装着可能となるように構築および配設される、デバイス。
（項目１５８）
被検体の皮膚に内蔵式デバイスを適用することであって、該デバイスは、（１）該被検体の該皮膚に適用するための支持構造と、（２）該被検体の該皮膚および／または該皮膚の下への流体の送達、および／またはそこからの流体の引き抜きのための輸送手段と、（３）該被検体の該皮膚および／または該皮膚の下に送達された、および／またはそこから引き抜かれた該流体を示す信号を生成するための信号構造とを備え、該内蔵式デバイスは、該被検体の該皮膚に貼付される場合、
（１）該デバイスが該流体の抽出のために位置付けられたとき、抽出領域と平行である、約５ｃｍ以下の最大横寸法、
（２）該デバイスが該被検体に適用されたとき、該被検体の該皮膚から延在する、約１ｃｍ以下の最大縦寸法、または
（３）該流体がないとき、約２５ｇ以下の質量
のうちの少なくとも１つを備える、ことと、
該デバイスを起動することと
を含む、方法。
（項目１５９）
被検体の皮膚および／または該皮膚の下に流体を送達する、および／またはそこから流体を引き抜くためのデバイスであって、
該デバイスは、
該被検体の該皮膚に適用するための支持構造と、
該被検体の該皮膚および／または該皮膚の下への該流体の送達、および／またはそこからの該流体の引き抜きのための輸送手段と、
該被検体の該皮膚および／または該皮膚の下に送達された、またはそこから引き抜かれた該流体の状態を決定するためのセンサと
を備え、該デバイスは、少なくとも約１５分の間、該被検体によって装着可能となるように構築および配設される、デバイス。
（項目１６０）
被検体の皮膚からおよび／または該皮膚の下から間質液を引き抜くためのデバイスであって、
該デバイスは、
該被検体の該皮膚に適用するための支持構造と、
該被検体の該皮膚から、および／または該皮膚の下から間質液を引き抜くための輸送手段と
を備え、該デバイスは、少なくとも約１５分の間、該被検体によって装着可能となるように構築および配設される、デバイス。
（項目１６１）
被検体の皮膚および／または該皮膚の下から流体を引き抜くためのデバイスであって、
該デバイスは、
該被検体の該皮膚に適用するための支持構造と、
該被検体の該皮膚の中の１つ以上の毛細血管から該流体を引き抜くための輸送手段と
を備え、該デバイスは、少なくとも約１５分の間、該被検体によって装着可能となるように構築および配設される、デバイス。
（項目１６２）
被検体の皮膚からおよび／または該皮膚の下から流体を抽出するためのデバイスであって、
該デバイスは、
該被検体の該皮膚に適用するための支持構造と、
抽出領域における該被検体の該皮膚から、および／または該皮膚の下から流体を抽出するための手段と
を備え、該デバイスは、
該デバイスが該流体の抽出のために位置付けられたとき、抽出領域と平行である、約６ｃｍ以下の最大横寸法、
該デバイスが該流体の抽出のために位置付けられたとき、該被検体の該皮膚から延在する、約１．５ｃｍ以下の最大縦寸法、または
該流体がないとき、約２５ｇ以下の質量
のうちの少なくとも１つを備える、デバイス。
（項目１６３）
被検体の皮膚および／または皮膚の下に流体を送達する、および／またはそこから流体を引き抜くための内蔵式デバイスであって、
該デバイスは、
該被検体の該皮膚に適用するための支持構造と、
該被検体の該皮膚および／または該皮膚の下への該流体の送達、および／またはそこからの該流体の引き抜きのための輸送手段と
を備え、該内蔵式デバイスは、該被検体の該皮膚に貼付される場合、
（１）該デバイスが該流体の抽出のために位置付けられたとき、抽出領域と平行である、約６ｃｍ以下の最大横寸法、
（２）該デバイスが該被検体に適用されたとき、該被検体の該皮膚から延在する、約１．５ｃｍ以下の最大縦寸法、または
（３）該流体がないとき、約２５ｇ以下の質量
のうちの少なくとも１つを備える、デバイス。
（項目１６４）
被検体の皮膚からおよび／または該皮膚の下から流体を抽出するためのデバイスであって、
該デバイスは、
該被検体の該皮膚に適用するための支持構造と、
抽出領域における該被検体の該皮膚から、および／または該皮膚の下から流体を抽出するための手段と、
該被検体の該皮膚への該支持構造の接着のための接着剤と
を備える、デバイス。
（項目１６５）
被検体の皮膚および／または該皮膚の下に流体を送達する、および／またはそこから流体を引き抜くためのデバイスであって、
該デバイスは、
該被検体の該皮膚に適用するための支持構造と、
該支持構造と関連付けられる流体輸送器と
を備え、該デバイスの一部分は、該デバイスを分解することなく交換可能であるように構築および配設され、該デバイスは、該交換可能な部分が該デバイス内に存在しないと、流体を送達する、および／または引き抜くように機能することができず、該交換可能な部分は、電源を備えていない、デバイス。
（項目１６６）
前記交換可能な部分は、圧力コントローラを備える、項目１６５に記載のデバイス。
（項目１６７）
前記交換可能な部分は、大気圧未満の圧力を有する真空チャンバを備える、項目１６５に記載のデバイス。
（項目１６８）
前記交換可能な部分は、前記流体輸送器のためのアクチュエータを備える、項目１６５に記載のデバイス。
（項目１６９）
前記交換可能な部分は、前記流体輸送器のための起動部を備える、項目１６５に記載のデバイス。
（項目１７０）
前記交換可能な部分は、前記流体輸送器を備える、項目１６５に記載のデバイス。
（項目１７１）
前記交換可能な部分は、センサを備える、項目１６５に記載のデバイス。
（項目１７２）
前記交換可能な部分は、採取チャンバを備える、項目１６５に記載のデバイス。
（項目１７３）
前記交換可能な部分は、流体分析物を備える、項目１６５に記載のデバイス。
（項目１７４）
前記交換可能な部分は、プロセッサを備える、項目１６５に記載のデバイス。
（項目１７５）
前記交換可能な部分は、メモリ構成要素を備える、項目１６５に記載のデバイス。
（項目１７６）
前記交換可能な部分は、伝送機を備える、項目１６５に記載のデバイス。
（項目１７７）
前記交換可能な部分は、ディスプレイを備える、項目１６５に記載のデバイス。
（項目１７８）
被検体の皮膚および／または該皮膚の下に流体を送達する、および／またはそこから流体を引き抜くためのデバイスであって、
該デバイスは、
該被検体の該皮膚に適用するための支持構造と、
該支持構造と関連付けられる流体輸送器と、
該支持構造から可逆的に取外し可能となるように構築および配設される取外し可能モジュールであって、該取外し可能モジュールは、圧力コントローラ、該流体輸送器のためのアクチュエータ、センサ、流体分析物、採取チャンバ、プロセッサ、メモリ構成要素、伝送機、またはディスプレイのうちの１つ以上を備える、取外し可能モジュールと
を備える、デバイス。
本発明は、概して、例えば、皮膚および／または皮膚の下を往復して、被検体に流体を送達する、および／または被検体から流体を引き抜くためのシステムおよび方法に関する。本発明の主題は、場合によっては、相関生成物、特定の問題の代替的解決法、および／または１つ以上のシステムおよび／または部品の複数の異なる用途を有する。